(57)【特許請求の範囲】
【請求項１】
エレベーターの釣合いおもりのおもり板の暴れを防止する通しボルトを取外すエレベーター釣合いおもり通しボルトの取外し方法において、
取外し治具のワイヤに設けられた係着手段を上記通しボルトの下端部に取付ける手順と、
上記ワイヤを上記釣合いおもりに掛け渡す手順と、
上記ワイヤの途中を保持手段により上記ワイヤの上記係着手段が取付けられた近傍に一時的に保持して輪を作る手順と、
上記通しボルトの上端に締め付けられたナットを外す手順と、
上記ワイヤの輪の大きさが順次長くなるように上記保持手段で上記ワイヤの別の箇所を順次保持しながら、上記通しボルトを自重で降下させる手順と、
を含むことを特徴とするエレベーター釣合いおもり通しボルトの取外し方法。
【請求項２】
エレベーターの釣合いおもりのおもり板の暴れを防止する通しボルトを取付けるエレベーター釣合いおもり通しボルトの取付け方法において、
取外し治具のワイヤを上記釣合いおもりに掛け渡す手順と、
上記ワイヤに設けられた係着手段を上記通しボルトの下端部に取付ける手順と、
上記通しボルトの上端を上記おもり板の貫通孔に下方から刺し入れる手順と、
上記ワイヤの途中を保持手段により上記ワイヤの上記係着手段が取付けられた近傍に一時的に保持して輪を作る手順と、
上記ワイヤの輪の大きさが順次短くなるように上記保持手段で上記ワイヤの別の箇所を順次保持しながら、上記通しボルトを上昇させる手順と、
上記通しボルトの上端にナットを締め付ける手順と、
を含むことを特徴とするエレベーター釣合いおもり通しボルトの取付け方法。
【発明の詳細な説明】
【技術分野】
【０００１】
この発明は、エレベーターの撤去作業等をするときに釣合いおもりの通しボルトの着脱を行うエレベーター釣合いおもり通しボルトの取外し方法および取付け方法に関するものである。
【背景技術】
【０００２】
大型エレベーターの釣合いおもりは、枠内に積み重ねられた複数のおもり板から構成され、おもり板に設けられた穴に通しボルトを通し、通しボルトの上下端を上下の梁にナットで締め付けて、おもり板が踊らないようにしている。
そして、エレベーターの撤去作業では、釣合いおもりを一度に解体するのではなく、かごの解体に合わせて、少しずつおもり板の数を減らしていくが、この作業の前に通しボルトを外しておく必要があるが、この通しボルトの上端近傍に滑車が配置されているため下方にのみ引き抜くことができる。
このため、最初に通しボルトの上端を固定しているナットを外してから、通しボルトの下端を固定しているナットを外し、それから通しボルトを下に引き抜く必要があるので、釣合いおもりの上下で作業する足場を組む（例えば、特許文献１参照）。
【先行技術文献】
【特許文献】
【０００３】
【特許文献１】特開平１１−３４９２５５号公報
【発明の概要】
【発明が解決しようとする課題】
【０００４】
しかし、通しボルトの長さが３〜５ｍと長く、且つ通しボルトを下に引き抜くために、釣合いおもりの下に少なくともそれ以上の高さを確保しておかなければならないので、通しボルトを取外す作業のために高さ１０ｍもの足場を組まなければならないという問題がある。
【０００５】
この発明は、前記のような課題を解決するためになされたものであり、足場を組むことなく通しボルトの着脱を行うエレベーター釣合いおもり通しボルトの取外し方法および取付け方法を得ることを目的とする。
【課題を解決するための手段】
【０００６】
この発明に係るエレベーター釣合いおもり通しボルトの取外し方法は、エレベーターの釣合いおもりのおもり板の暴れを防止する通しボルトを取外すエレベーター釣合いおもり通しボルト取外し方法において、取外し治具のワイヤに設けられた係着手段を上記通しボルトの下端部に取付ける手順と、上記ワイヤを上記釣合いおもりに掛け渡す手順と、上記ワイヤの途中を保持手段により上記ワイヤの上記係着手段が取付けられた近傍に一時的に保持して輪を作る手順と、上記通しボルトの上端に締め付けられたナットを外す手順と、上記ワイヤの輪の大きさが順次長くなるように上記保持手段で上記ワイヤの別の箇所を順次保持しながら、上記通しボルトを自重で降下させる手順と、を含む。
【０００７】
この発明に係るエレベーター釣合いおもり通しボルトの取付け方法は、エレベーターの釣合いおもりのおもり板の暴れを防止する通しボルトを取付けるエレベーター釣合いおもり通しボルトの取付け方法において、取外し治具のワイヤを上記釣合いおもりに掛け渡す手順と、上記ワイヤに設けられた係着手段を上記通しボルトの下端部に取付ける手順と、上記通しボルトの上端を上記おもり板の貫通孔に下方から刺し入れる手順と、上記ワイヤの途中を保持手段により上記ワイヤの上記係着手段が取付けられた近傍に一時的に保持して輪を作る手順と、上記ワイヤの輪の大きさが順次短くなるように上記保持手段で上記ワイヤの別の箇所を順次保持しながら、上記通しボルトを上昇させる手順と、上記通しボルトの上端にナットを締め付ける手順と、を含む。
【発明の効果】
【０００８】
この発明に係るエレベーター釣合いおもり通しボルトの取外し方法および取付け方法は、エレベーターのかご上で取外し治具を取付けたりダブルナットを外したり通しボルトを取外したりできるので、足場を組む必要がなく、かごを数回手動で動かすだけで済み、安全に釣合いおもりの解体ができるという効果を奏する。
【図面の簡単な説明】
【０００９】
【図１】この発明に係る釣合いおもりの外観図である。
【図２】この発明に係る取外し治具の外観図である。
【図３】通しボルトを釣合いおもりから取外す前半の様子を示す図である。
【図４】通しボルトを釣合いおもりから取外す後半の様子を示す図である。
【発明を実施するための形態】
【００１０】
以下、本発明のエレベーター釣合いおもり通しボルトの取外し方法および取付け方法の好適な実施の形態につき図面を用いて説明する。図１は、この発明に係る釣合いおもりの外観図である。
最初に通しボルトを取外す前の釣合いおもりについて説明する。
釣合いおもり１は、図１に示すように、上下の梁２ａ、２ｂおよび上下の梁２ａ、２ｂを固定する柱３から構成される枠４、枠４内に積み重ねられるおもり板５、おもり板５に設けられた図示しない穴を貫通するとともに両端に図示しないネジ山が切られた鋼棒である通しボルト６、通しボルト６の上下端のネジ山に螺旋込まれて通しボルト６を上下の梁２ａ、２ｂに固定するダブルナット７、および、枠４の上方に配置された滑車８から構成されている。そして、通しボルト６は上方に滑車８が配置されているので、下方にだけ引き抜くことができる。なお、釣合いおもり１は枠４の四隅に備えられた図示しないガイドシューが柱３に対向して昇降路に敷設された図示しないガイドレールに嵌合されており、釣合いおもり１はガイドレールに沿って昇降する。
【００１１】
次に、通しボルト６を取外すときに使用する取外し治具１０を説明する。図２は、この発明に係る取外し治具の外観図である。
取外し治具１０は、通しボルト６の長さの４倍よりも長いワイヤ１１、ワイヤ１１の一端に締結された係着手段としての平ワッシャ１２、ワイヤ１１に取付け取外しが自在の保持手段としてのクリップ１３から構成される。平ワッシャ１２にはワイヤ１１を通すための通し孔１２ａが２つ設けられている。
【００１２】
次に、取外し治具１０を用いて通しボルト６を釣合いおもり１から取外す手順を説明する。図３、図４は、通しボルトを釣合いおもりから取外す様子を示す図である。
最初に、図３（ａ）に示すように、エレベーターかご２０上に乗った作業員２１が、エレベーターかご２０をかご上が釣合いおもり１の下梁２ｂに並ぶように手動で動かし停止する。作業員２１はダブルナット７の下側のナットを外し、平ワッシャ１２を通しボルト６に下端から入れ、ナットを締めて平ワッシャ１２をダブルナット７の間に固定する。
【００１３】
次に、図３（ｂ）に示すように、エレベーターかご２０をかご上が釣合いおもり１の上梁２ａに並ぶように手動で動かし停止する。このときワイヤ１１は作業員２１によってかご上より適宜繰り出されており、エレベーターかご２０が停止すると作業員２１はワイヤ１１の一端が上梁２ａを跨ぐように掛渡してから下げ降ろす。
【００１４】
次に、図３（ｃ）に示すように、エレベーターかご２０をかご上が釣合いおもり１の下梁２ｂに並ぶように手動で動かし停止する。作業員２１はダブルナット７の間に固定された平ワッシャ１２のワイヤ１１が締結されていないもう一つの通し孔１２ａにワイヤ１１の端部を挿通し、ワイヤ１１に弛みがないように引っ張った後にクリップ１３にて固定する。
ここまでの作業によって通しボルト６の下端部には釣合いおもり１に掛渡された環状のワイヤ１１が取付けられた状態となる。
【００１５】
次に、図３（ｄ）に示すように、エレベーターかご２０をかご上が釣合いおもり１の上梁２ａに並ぶように手動で動かし停止する。作業員２１が通しボルト６の上端に取付けられたダブルナット７を外す。すると、通しボルト６が下方に落ちようとするが、取外し治具１０のワイヤ１１が環状になっているので、輪が上梁２ａに引っ掛かって止まる。
【００１６】
次に、図４（ａ）、（ｂ）、（ｃ）に示すように、エレベーターかご２０をかご上が釣合いおもり１の下梁２ｂに並ぶように手動で動かし停止した後、作業員２１は通しボルト６を保持しつつクリップ１３を緩めるまたは締め付けることによりワイヤ１１を少しずつ送りながら通しボルト６を自重で降下させる。また通しボルト６の降下に併せて適宜エレベーターかご２０を下方に移動させることによって、通しボルト６を釣合いおもり１の枠４から完全に抜き取ることができる。抜き取った後は通しボルト６をかご上に移動させクリップ１３を取外す。取外した通しボルト６のダブルナット７を外して平ワッシャ１２を外す。
【００１７】
なお、上述の作業では１本の通しボルト６だけを取外しているが、通しボルト６の本数だけ、例えば図１に示す釣合いおもり１ならば２本の通しボルト６を同時に外しても良い。その場合、通しボルト６の数だけの取外し治具１０を用意すれば良い。
【００１８】
この発明に係るエレベーター釣合いおもり通しボルトの取外し方法は、エレベーターのかご２０上で取外し治具１０を取付けたりダブルナット７を外したり通しボルト６を取外したりできるので、足場を組む必要がなく、かごを数回手動で動かすだけで済み、安全に釣合いおもり１の解体ができる。
【００１９】
次に、取外し治具１０を用いて通しボルト６を釣合いおもり１に取付ける手順を説明する。
最初に、エレベーターかご２０をかご上が釣合いおもり１の上梁２ａに並ぶように手動で動かし停止する。そして、作業員２１は平ワッシャ１２が釣合いおもり１の下梁２ｂより通しボルト６の長さだけ下に位置するようにしてワイヤ１１を上梁２ａに跨ぐように掛渡して下げ降ろす。
【００２０】
次に、エレベーターかご２０が釣合いおもり１の下梁２ｂより通しボルト６の長さだけ下になるように手動で動かし停止する。そして、作業員２１はダブルナット７の下側のナットを外し、平ワッシャ１２を通しボルト６に下端から入れ、ナットを締めて平ワッシャ１２をダブルナット７の間に固定する。
次に、作業員２１は通しボルト６の上端を下梁２ｂの貫通孔に刺し入れる。
次に、作業員２１はダブルナット７の間に固定された平ワッシャ１２のワイヤ１１が締結されていないもう一つの通し孔１２ａにワイヤ１１の端部を挿通し、ワイヤ１１に弛みがないように引っ張った後にクリップ１３にて固定する。
【００２１】
次に、作業員２１は通しボルト６を保持しつつクリップ１３を緩めるまたは締め付けることによりワイヤ１１を少しずつ手繰りながら通しボルト６を上昇させる。また、通しボルト６の上昇に併せて適宜エレベーターかご２０を上方に移動させることによって、通しボルト６を釣合いおもり１の枠４に刺し込む。
【００２２】
次に、エレベーターかご２０のかご上が釣合いおもり１の上梁２ａに並ぶように手動で動かし停止した後、作業員２１が通しボルト６の上端にダブルナット７を取付ける。
次に、エレベーターかご２０のかご上が釣合いおもり１の下梁２ｂに並ぶように手動で動かし停止した後、作業員２１が通しボルト６の下端のダブルナット７の作業員２１はダブルナット７の下側のナットを外し、平ワッシャ１２を通しボルト６に下端から外し、ナットを締め直す。
【００２３】
この発明に係るエレベーター釣合いおもり通しボルトの取付け方法は、エレベーターのかご上で取外し治具を取付けたりダブルナットを外したり通しボルトを取付けたりできるので、足場を組む必要がなく、かごを数回手動で動かすだけで済み、安全に釣合いおもりの復帰ができる。
【００２４】
なお、上述の実施の形態ではワイヤを釣合いおもりに渡す渡し方としてワイヤを上枠に掛け釣合いおもりの両側面に沿って垂らす方法を説明したが、これに限るものではなく、例えば、ワイヤをおもり板に掛けおもり板に沿って垂らす方法やワイヤを上枠に掛け一方のワイヤの端を上枠とおもり板の間を通しおもり板の一方の側面に沿って垂らす方法でも良い。
【００２５】
また、ワイヤの一端を通しボルトの一端に係着する手段として、平ワッシャを通しボルトの下端に締結されるダブルナットの間に挟み込んでいる例を説明したが、ワイヤの一端を通しボルトの下端に取付けることができればこれに限るものではなく、例えば、袋を通しボルトの下端に被せて良いし、ワイヤの一端を環状に結び、その環を通しボルトの下端に通し、別に用意したナットで締め付けても良い。
【００２６】
また、ワイヤの輪を作る手段として、平ワッシャの通し孔を通過しないクリップでワイヤを挟む方法を説明したが、ワイヤの輪を一時的に作れればいずれの方法でも良く、例えば、ワイヤを一時的に結んだり、カラビナを利用したりしても良い。
【符号の説明】
【００２７】
１  釣合いおもり、２ａ、２ｂ  梁、３  柱、４  枠、５  おもり板、６  通しボルト、７  ダブルナット、８  滑車、１０  取外し治具、１１  ワイヤ、１２  平ワッシャ、１２ａ、１２ｂ  通し孔、１３  クリップ、２０  エレベーターかご、２１  作業員。
【図１】
0005452355.tif 000002
【図２】
0005452355.tif 000003
【図３】
0005452355.tif 000004
【図４】
0005452355.tif 000005